(57)【要約】【課題】バックライトシャーシの下部に配され、バックライトシャーシの後側に設けてある制御基板とバックライトシャーシの前側に設けてある表示パネルとを接続する配線を短時間で露出させることができ、また壁に設置した場合における外観意匠性を向上させることができる表示装置を提供する。【解決手段】スタンドを挿入する挿入穴１ａをリヤキャビネット１に設けて、挿入穴１ａに対向する遮蔽部71をフロントキャビネット７に一体に設けることによって、フロントキャビネット７を取り外した場合に遮蔽部71も取り外される。そのため挿入穴１ａ付近に配してあるＦＰＣ５が短時間で露出され、ＦＰＣ５の接続不良の有無の確認を短時間で行うことができる。また遮蔽部71は、表示装置を壁に取り付けた場合に挿入穴１ａから金属製のスタンド取付アングル４を視認することを妨げるので、表示装置の外観意匠性を向上させることができる。【選択図】図１
2010217573.tif 000002
【特許請求の範囲】
【請求項１】
映像を表示する表示パネルと、該表示パネルの前側に配置されるフロントキャビネットと、前記表示パネルの後側に配置されるリヤキャビネットと、該リヤキャビネットの内側に配置されており、スタンドを取り付けるための取付部と、該取付部の下方にて前記フロントキャビネット又はリヤキャビネットに開設してあり、前記スタンドを挿入する挿入穴とを備える表示装置において、
前記フロントキャビネット（又はリヤキャビネット）からリヤキャビネット（又はフロントキャビネット）へ向けて前記挿入穴に対向するように延出し、前記取付部を隠す遮蔽部を備えることを特徴とする表示装置。
【請求項２】
前記遮蔽部の横側に配置してあり、前記スタンドの横方向の位置決めを行う横位置決め部を備えることを特徴とする請求項１に記載の表示装置。
【請求項３】
前記遮蔽部よりも下側に配置してあり、前後寸法が前記遮蔽部よりも小さく、前記スタンドの前後方向の位置決めを行う前後位置決め部を備えることを特徴とする請求項１又は２に記載の表示装置。
【請求項４】
前記遮蔽部の横側に配置してあり、前記スタンドの横方向の位置決めを行う横位置決め部と、
前記遮蔽部よりも下側に配置してあり、前後寸法が前記遮蔽部よりも小さく、前記スタンドの前後方向の位置決めを行う前後位置決め部とを備え、
前記遮蔽部、横位置決め部及び前後位置決め部を一体に成形してあることを特徴とする請求項１に記載の表示装置。
【請求項５】
前記遮蔽部は前後方向及び横方向に延びる板状をなし、
前記前後位置決め部及び横位置決め部は前後方向に延びる板状をなすこと
を特徴とする請求項１から４のいずれか一つに記載の表示装置。
【請求項６】
前記遮蔽部に導電線を保持する保持部が設けてあることを特徴とする請求項１から５のいずれか一つに記載の表示装置。
【発明の詳細な説明】
【技術分野】
【０００１】
本発明はスタンドを取り付けることができる表示装置に関する。
【背景技術】
【０００２】
室内への設置を容易にすべく、一般に表示装置はスタンドを取り付けることができるように構成されている。特許文献１にはスタンドを取り付けるためのブラケット部材をバックライトシャーシの下部に固設した液晶表示装置が開示してある。ブラケット部材には、意匠性を考慮してカバーが取り付けられている。該ブラケット部材によってスタンドは安定に支持される。
【０００３】
前記液晶表示装置は表示パネルの駆動を制御するための制御基板を備えている。該制御基板は上昇気流による熱が伝播することを防ぐために、バックライトシャーシの下部に取り付けられることがある。制御基板は配線、例えばＦＰＣ(Flexible Printed Circuits)を介してバックライトシャーシの正面側に配置してある表示パネルと接続されており、ＦＰＣは限られた空間を効率よく利用するために僅かな隙間、例えば前記ブラケット部材とバックライトシャーシとの間の隙間に配置されることが多い。
【先行技術文献】
【特許文献】
【０００４】
【特許文献１】特開２００８−１０２２８６号公報
【発明の概要】
【発明が解決しようとする課題】
【０００５】
液晶表示装置は出荷前に検品され、検品時にＦＰＣの接続不良の有無が確認される。ブラケット部材とバックライトシャーシとの間に配置されたＦＰＣは前記カバーによって隠蔽されているため、検品時にはリヤキャビネットと前記カバーとを取り外す必要があり、検品には長時間を要する。
【０００６】
本発明は斯かる事情に鑑みてなされたものであり、その目的とするところは、バックライトシャーシの下部に配され、制御基板と表示パネルとを接続する配線を短時間で露出させることができる表示装置を提供することにある。
【課題を解決するための手段】
【０００７】
本発明に係る表示装置は、映像を表示する表示パネルと、該表示パネルの前側に配置されるフロントキャビネットと、前記表示パネルの後側に配置されるリヤキャビネットと、該リヤキャビネットの内側に配置されており、スタンドを取り付けるための取付部と、該取付部の下方にて前記フロントキャビネット又はリヤキャビネットに開設してあり、前記スタンドを挿入する挿入穴とを備える表示装置において、前記フロントキャビネット（又はリヤキャビネット）からリヤキャビネット（又はフロントキャビネット）へ向けて前記挿入穴に対向するように延出し、前記取付部を隠す遮蔽部を備えることを特徴とする。
【０００８】
本発明においては、スタンドを挿入する挿入穴に対向する遮蔽部をフロントキャビネット（又はリヤキャビネット）に設けることによって、フロントキャビネット（又はリヤキャビネット）を取り外した場合に遮蔽部も取り外されるので、前記挿入穴付近に配してある配線が短時間で露出される。また遮蔽部は、表示装置を壁に取り付けた場合に、スタンドを取り付ける取付部をユーザが挿入穴から視認することを妨げる。
【０００９】
本発明に係る表示装置は、前記遮蔽部の横側に配置してあり、前記スタンドの横方向の位置決めを行う横位置決め部を備えることを特徴とする。
【００１０】
本発明においては、前記遮蔽部の横側に横位置決め部を設けて、スタンドの横方向の位置決めを行い、スタンドの取り付けを迅速に行う。
【００１１】
本発明に係る表示装置は、前記遮蔽部よりも下側に配置してあり、前後寸法が前記遮蔽部よりも小さく、前記スタンドの前後方向の位置決めを行う前後位置決め部を備えることを特徴とする。
【００１２】
本発明においては、遮蔽部よりも下側に前後位置決め部を設けて、スタンドの前後方向の位置決めを行い、スタンドの取り付けを迅速に行う。また前後位置決め部の前後寸法を前記遮蔽部よりも小さくすることで、表示装置にスタンドを挿入する場合に、スタンドの姿勢を斜めにすることができ、スタンドを挿入する作業者の負担が軽減される。
【００１３】
本発明に係る表示装置は、前記遮蔽部の横側に配置してあり、前記スタンドの横方向の位置決めを行う横位置決め部と、前記遮蔽部よりも下側に配置してあり、前後寸法が前記遮蔽部よりも小さく、前記スタンドの前後方向の位置決めを行う前後位置決め部とを備え、前記遮蔽部、横位置決め部及び前後位置決め部を一体に成形してあることを特徴とする。
【００１４】
本発明においては、横位置決め部及び前後位置決め部を設けて、スタンドの挿入方向に垂直な二方向の位置決めを行い、スタンドの取り付けを迅速に行う。また前後位置決め部の前後寸法を前記遮蔽部よりも小さくすることで、表示装置にスタンドを挿入する場合に、スタンドの姿勢を斜めにすることができ、スタンド挿入時における作業者の負担が軽減される。また遮蔽部、横位置決め部及び前後位置決め部は一体に成形されることでその強度が増し、スタンドの接触によって遮蔽部等が破損することを防止することができる。
【００１５】
本発明に係る表示装置は、前記遮蔽部は前後方向及び横方向に延びる板状をなし、前記前後位置決め部及び横位置決め部は前後方向に延びる板状をなすことを特徴とする。
【００１６】
本発明においては、前記遮蔽部を前後方向及び横方向に延びる板状に形成することによって、前記遮蔽部は前記挿入穴を覆うことができるので挿入穴からユーザが取付部を視認することを確実に防止する。また前後位置決め部を前後方向に延びる板状、例えば上下方向に垂直な板状に形成することによって、前記スタンドを挿入穴に挿入した場合であって前記スタンドの姿勢が変わったときに、前記前後位置決め部の縁に前記スタンドが当接し、前記スタンドを前後方向に確実に位置決めすることができる。また前記横位置決め部を前後方向に延びる板状、例えば横方向に垂直な板状に形成することによって、スタンド挿入時にスタンドが横方向に移動したとしても、前記横位置決め部にスタンドが当接して横方向の移動が規制され、スタンドを横方向に確実に位置決めすることができる。
【００１７】
本発明に係る表示装置は、前記遮蔽部に導電線を保持する保持部が設けてあることを特徴とする。
【００１８】
本発明においては、前記遮蔽部周辺にある導電線を保持部にて保持するので、導電線の配設作業を迅速に行うことができる。
【発明の効果】
【００１９】
本発明に係る表示装置にあっては、スタンドを挿入する挿入穴に対向する遮蔽部をフロントキャビネット（リヤキャビネット）に設けることによって、フロントキャビネット（リヤキャビネット）を取り外した場合に遮蔽部も取り外されるので、前記挿入穴付近に配してある配線を短時間で露出させることができる。そのため配線の接続不良の有無の確認を短時間で行い、検品時間を短縮することができる。また遮蔽部は、表示装置を壁に取り付けた場合に、スタンドを取り付ける取付部をユーザが挿入穴から視認することを妨げるので、表示装置の外観意匠性を向上させることができる。
【図面の簡単な説明】
【００２０】
【図１】実施の形態１に係る表示装置の略示縦断面図である。
【図２】下側から見た表示装置の斜視図である。
【図３】リヤキャビネットを取り外した状態で下側から見た角筒部付近を示す斜視図である。
【図４】上側から見た角筒部の斜視図である。
【図５】スタンドの表示装置への取り付けを説明する斜視図である。
【図６】スタンドの表示装置への取り付けを説明する斜視図である。
【図７】スタンドの表示装置への取り付けを説明する斜視図である。
【図８】フロントキャビネットを取り外した表示装置を略示する縦断面図である。
【図９】リヤキャビネットを取り外した実施の形態２に係る表示装置を示す斜視図である。
【図１０】リヤキャビネットを取り外した実施の形態３に係る表示装置を示す斜視図である。
【発明を実施するための形態】
【００２１】
（実施の形態１）
以下本発明を実施の形態１に係る表示装置の図面に基づいて詳述する。図１は表示装置の略示縦断面図、図２は下側から見た表示装置の斜視図である。なお以後の説明における前後、左右及び上下は表示装置を縦置きにした場合を基準としている。
図において１は、前方が開放された箱形のリヤキャビネット１であり、該リヤキャビネット１にはバックライトを前側に支持するバックライトシャーシ２が配してある。バックライトシャーシ２の後側には液晶を有する表示パネル６の駆動を制御する制御基板３が設けてあり、該制御基板３の下側にスタンド80（後述する図５参照）を取り付けるためのスタンド取付アングル４が配してある。該スタンド取付アングル４は前後に薄い扁平な箱形をなし、スタンド取付アングル４とバックライトシャーシ２との間に隙間が設けてある。前記制御基板３と表示パネル６とはＦＰＣ５によって接続されている。ＦＰＣ５は制御基板３から下方へ延出し、スタンド取付アングル４とバックライトシャーシ２との隙間を通って、バックライトシャーシ２の下縁部を前側へ回り込み、表示パネル６に至る。表示パネル６の前側に、表示パネル６と略同寸の開口７ａを備える矩形枠状のフロントキャビネット７が設けてある。
【００２２】
前記リヤキャビネット１の下部には、スタンド80が挿入されるコの字形の挿入穴１ａが設けてある。該挿入穴１ａは、リヤキャビネット１の下部を前側から切り欠くように形成されている。リヤキャビネット１とフロントキャビネット７とは対応しており、両者を組み合わすことで一つのキャビネットとなる。前記フロントキャビネット７の下部には、フロントキャビネット７から後側へ延出した前記挿入穴１ａに対向する角筒部70が一体に設けてある。該角筒部70は、その下面が前記挿入穴１ａと略同一平面上に位置するように配してある。
【００２３】
図３はリヤキャビネット１を取り外した状態で下側から見た角筒部70付近を示す斜視図である。角筒部70の上面部分は上下方向に垂直であり、後側に延出した角部分を矩形状に切り欠いた凸形をなしている。この矩形状に切り欠いた部分にスタンド80の先端部が挿通する。角筒部70の上面部分は前記挿入穴１ａからの視認を妨げる遮蔽部71となっており、矩形状に切り欠いた部分を除いて前記挿入穴１ａの略全域を覆う。左右方向に垂直な角筒部70の左右側面部分は前記遮蔽部71と一体になっており、前記遮蔽部71の左右縁と略同寸の前後寸法で下側に延び、角筒部70の下側面付近で遮蔽部71の左右縁よりも大きな前後寸法で後側に突出している。この突出した部分は、スタンド80挿入時におけるスタンド80の左右方向の位置決めを行う左右位置決め部73になっている。該左右位置決め部73の下端からフロントキャビネット７に亘って外向きに突出した補強リブ74が角筒部70の左右側面と一体に形成してある。上下方向に垂直な角筒部70の下面部分は角筒部70の左右側面と一体に連なっている。筒部70の下面部分と角筒部70の左右側面とが一体に連なる部分には、フロントキャビネット７から左右位置決め部73に亘って外向きに突出した補強リブ74が形成してある。
【００２４】
角筒部70の下面部分の前後寸法は、遮蔽部71の中央部の前後寸法よりも小さく、遮蔽部71の左右縁と略同じである。また角筒部70の下面部分の左右端部には上方に延出した二つの補強リブ72ａ、72ａが一体に設けてある。角筒部70の下面部分はスタンド80挿入時におけるスタンド80の前後方向の位置決めを行う前後位置決め部72になっている。
【００２５】
前記スタンド取付アングル４はその左右側面にスタンド80を係止するための外向きに延出した係止部40を備えている。該係止部40はスタンド取付アングル４の左右側面に直角であってスタンド取付アングル４の後面に平行な平行板部41と、該平行板部41の先端から後ろ向きに延出した平行板部41に垂直な垂直板部42とを備えている。スタンド取付アングル４の下面は前記遮蔽部71によって覆われており、スタンド取付アングル４を挿入穴１ａから視認することは難しい。なお前記スタンド取付アングル４は金属製である。
【００２６】
図４は上側から見た角筒部70の斜視図である。角筒部70の上面、すなわち遮蔽部71の上面には配線を保持する三つの保持片が左右方向に並設してある。該保持片は、遮蔽部71とフロントキャビネット７とが連なる部分に一体に設けてあり、遮蔽部71とフロントキャビネット７とに対して直角である。保持片の前縁中央部には導電線を保持するための細長い矩形状の切欠が形成してある。角筒部70の左右にはスピーカが配設してあり、該スピーカに接続してある導電線が前記切欠にて保持される。
【００２７】
次にスタンド80の表示装置への取り付けについて説明する。図５〜図７はスタンド80の表示装置への取り付けを説明する斜視図である。
図５に示すように、スタンド80は支持台81と、該支持台81に垂直に固定してあり、前記スタンド取付アングル４に接合する接合部82とを備える。該接合部82は、後面部82ａ、下面部82ｂ及び左右側面部82ｃ、82ｃからなる前後に薄く左右に長い枠体となっている。該接合部82は前記スタンド取付アングル４よりも上下、左右及び前後寸法が若干大きい。接合部82の左右側面の上部を切り欠くようにして、前記スタンド取付アングル４の左右側面に設けてある係止部40に係合する係合凹部82ｄが接合部82に形成してある。
【００２８】
スタンド80を表示装置へ取り付ける場合には接合部82を前記挿入穴１ａに挿入し、図６に示すように、接合部82の後面部82ａをスタンド取付アングル４の後面に当接させる。このとき接合部82の左右側面部82ｃ、82ｃは角筒部70の左右位置決め部73によって左右方向への移動が規制され、接合部82の左右方向の位置が決まる。また接合部82の左右側面部82ｃ、82ｃの前縁は、角筒部70の前後位置決め部72によって前方への移動が規制され、接合部82の後面部82ａは挿入穴１ａ（図２参照）の縁によって後方への移動が規制されるので、接合部82の前後方向の位置が決まる。また前後位置決め部72の前後寸法は前記遮蔽部71よりも小さいので、スタンド80の姿勢を斜めにして挿入穴１ａに挿入することができる。
【００２９】
スタンド80を更に挿入することによって、接合部82はスタンド取付アングル４の後面を覆うように配置され、図７に示すように接合部82の係合凹部82ｄは前記係止部40の平行板部41に係合し、前記係止部40の垂直板部42によって接合部82の左右方向の移動が規制され、スタンド80が表示装置に固定される。
【００３０】
表示装置を出荷する場合には、前記ＦＰＣ５の接続不良の有無が検査される。図８はフロントキャビネット７を取り外した表示装置を略示する縦断面図である。図８に示すように、フロントキャビネット７を取り外すことによって、前記角筒部70も取り外されるので、検査員は挿入穴１ａからＦＰＣ５の接続状態を視認することができ、ＦＰＣ５の接続不良の有無を検査することができる。
【００３１】
実施の形態１に係る表示装置にあっては、スタンド80を挿入する挿入穴１ａをリヤキャビネット１に設けて、挿入穴１ａに対向する遮蔽部71をフロントキャビネット７に一体に設けてある。そのためフロントキャビネット７を取り外した場合に遮蔽部71も取り外されるので、挿入穴１ａ付近に配してあるＦＰＣ５が短時間で露出され、ＦＰＣ５の接続不良の有無の確認を短時間で行うことができる。また遮蔽部71は、表示装置を壁に取り付けた場合に、ユーザが挿入穴１ａから金属製のスタンド取付アングル４を視認することを妨げるので、表示装置の外観意匠性を向上させることができる。
【００３２】
また左右位置決め部73及び前後位置決め部72を設けて、スタンド80の挿入方向に垂直な二方向の位置決めを行い、スタンド80の取り付けを迅速に行う。また前後位置決め部72の前後寸法を前記遮蔽部71よりも小さくすることで、表示装置を平置きにした状態で表示装置にスタンド80を挿入する場合に、スタンド80の姿勢を斜めにすることができ、スタンド80を挿入する作業者の負担を軽減させることができる。また遮蔽部71、左右位置決め部73及び前後位置決め部72はフロントキャビネット７と一体に角筒状に成形されることでその強度が増し、スタンド80の接触によって遮蔽部71等が破損することを防止することができる。
【００３３】
また前記遮蔽部71を上下方向に垂直な板状に形成することによって、前記遮蔽部71は前記挿入穴１ａの略全域を覆うことができるので挿入穴１ａからユーザがスタンド取付アングル４を視認することを確実に防止する。また前後位置決め部72を上下方向に垂直な板状に形成しているので、前記スタンド80を挿入穴１ａに挿入した場合であって前記スタンド80が前方へ移動したときに、前記前後位置決め部72の縁に前記スタンド80が当接し、前記スタンド80を前後方向に確実に位置決めすることができる。また前記左右位置決め部73を横方向に垂直な板状に形成することによって、スタンド挿入時にスタンド80が横方向に移動したとしても、前記左右位置決め部73にスタンド80が当接して左右方向の移動が規制され、スタンド80を左右方向に確実に位置決めすることができる。
【００３４】
また前記角筒部70の左右に配設してあるスピーカに接続された導電線を保持片の切欠にて保持するので、角筒部70付近にある導電線の配設作業を迅速に行うことができる。
【００３５】
実施の形態１に係る表示装置にあっては、挿入穴１ａをリヤキャビネット１に設け、角筒部70をフロントキャビネット７に設けているが、挿入穴１ａをフロントキャビネット７に設け、角筒部70をリヤキャビネット１に設けても良い。また挿入穴１ａ及び角筒部70をリヤキャビネット１に設けても良い。また挿入穴１ａ及び角筒部70をフロントキャビネット７に設けても良い。また前後位置決め部72は上下方向に垂直な板状に形成されているが、左右方向に垂直な板状に形成しても良い。また左右位置決め部73は左右方向に垂直な板状に形成されているが、上下方向に垂直な板状に形成しても良い。
【００３６】
（実施の形態２）
以下本発明を実施の形態２に係る表示装置を示す図面に基づいて詳述する。図９はリヤキャビネット１を取り外した表示装置を示す斜視図である。
図９に示すように、スタンド取付アングル４の下部に近接するように、フロントキャビネット７から後方へ延出し、挿入穴１ａからの視認を妨げる左右方向に長い矩形状の遮蔽板51が設けてある。該遮蔽板51は上下方向に垂直である。該遮蔽板51の延出した二隅は矩形状に切り欠いてあり、該切り欠いた部分にスタンド80の先端部が挿通する。遮蔽板51は前記スタンド80の先端部が挿通する領域を除いて前記挿入穴１ａの略全域を覆う。遮蔽板51はフロントキャビネット７と一体に形成されている。遮蔽板51の下側には、フロントキャビネット７から後方へ延出し、スタンド80挿入時におけるスタンド80の前後方向の位置決めを行う上下方向に垂直で左右方向に長い矩形状の前後位置決め板52が設けてある。該前後位置決め板52はフロントキャビネット７と一体に形成されている。前後位置決め板52は前記遮蔽板51から適長離隔しており、前後位置決め板52の前後寸法は遮蔽板51よりも短い。前後位置決め板52には上方に突出した四つの補強リブ52ａが左右方向に並設してあり、該補強リブ52ａは前後位置決め板52と一体に形成されている。
【００３７】
前記前後位置決め板52の左右両端部は左右方向に対して垂直になるように上方へ向けて屈曲しており、該屈曲した部分の後端部は後方へ延出している。この延出した部分はスタンド挿入時におけるスタンド80の左右方向の位置決めを行う左右位置決め部53となっている。前後位置決め板52の左右両端部の屈曲している部分には、フロントキャビネット７から左右位置決め部53に亘って外向きに突出した補強リブ54が形成してある。
【００３８】
実施の形態２に係る表示装置にあっては、遮蔽板51をフロントキャビネット７に一体に設けてある。そのためフロントキャビネット７を取り外した場合に遮蔽板51も取り外されるので、挿入穴１ａ付近に配してあるＦＰＣ５が短時間で露出され、ＦＰＣ５の接続不良の有無の確認を短時間で行うことができる。また遮蔽板51が表示装置を壁に取り付けた場合に、ユーザが挿入穴１ａから金属製のスタンド取付アングル４を視認することを妨げるので、表示装置の外観意匠性を向上させることができる。
【００３９】
また前記遮蔽板51を上下方向に垂直な板状に形成することによって、前記遮蔽板51は前記挿入穴１ａの略全域を覆うことができるので挿入穴１ａからユーザがスタンド取付アングル４を視認することを確実に防止する。また前後位置決め板52を上下方向に垂直な板状に形成しているので、前記スタンド80を挿入穴１ａに挿入した場合であって前記スタンド80が前方へ移動したときに、前記前後位置決め板52の縁に前記スタンド80が当接し、前記スタンド80を前後方向に確実に位置決めすることができる。また前記左右位置決め部53を横方向に垂直な板状に形成することによって、スタンド挿入時にスタンド80が横方向に移動したとしても、前記左右位置決め部53にスタンド80が当接して左右方向の移動が規制され、スタンド80を左右方向に確実に位置決めすることができる。
【００４０】
なお実施の形態２においては、前後位置決め板52及び左右位置決め部53を一体に形成してあるが、前後位置決め板52及び左右位置決め部53を分離した構成としても良い。
【００４１】
実施の形態２に係る表示装置の構成の内、実施の形態１と同様な構成については同じ符号を付し、その詳細な説明を省略する。
【００４２】
（実施の形態３）
以下本発明を実施の形態３に係る表示装置を示す図面に基づいて詳述する。図１０はリヤキャビネット１を取り外した表示装置を示す斜視図である。図１０に示すように、スタンド取付アングル４から下方へ適長離隔した位置に、フロントキャビネット７から後方へ延出し、挿入穴１ａからの視認を妨げる左右方向に長い矩形状の遮蔽板61が設けてある。該遮蔽板61は上下方向に垂直であり、フロントキャビネット７と一体に形成されている。遮蔽板61の左右端部には、外向きに突出した後方視Ｌ形の連結部63が設けてあり、該連結部63は遮蔽板61及びフロントキャビネット７と一体に形成されている。なお連結部63は遮蔽板61よりも前後寸法が短い。
【００４３】
連結部63の突出端部には上方へ向けて突出した左右方向に垂直で前後に細長い板状部分が連なっており、該板状部分の後端部は連結部63よりも後方へ延出している。この延出した部分は、スタンド80の挿入時におけるスタンド80の左右方向の位置決めを行う左右位置決め部62となっている。連結部63の屈曲している部分には、フロントキャビネット７から左右位置決め部62に亘って外向きに突出した補強リブ64が一体に形成してある。なお左右位置決め部63と遮蔽板61との間にはスタンド80の先端部が挿入される。
【００４４】
実施の形態３に係る表示装置にあっては、遮蔽板61をフロントキャビネット７に一体に設けてある。そのためフロントキャビネット７を取り外した場合に遮蔽板61も取り外されるので、挿入穴１ａ付近に配してあるＦＰＣ５が短時間で露出され、ＦＰＣ５の接続不良の有無の確認を短時間で行うことができる。また遮蔽板61は、表示装置を壁に取り付けた場合にユーザが挿入穴１ａから金属製のスタンド取付アングル４を視認することを妨げるので、表示装置の外観意匠性を向上させることができる。また連結部63を介して遮蔽板61と左右位置決め部62とが一体に形成されているので、遮蔽板61と左右位置決め部62とは充分な強度を有し、スタンド80が当接した場合でも破損することはない。
【００４５】
また前記遮蔽板61を上下方向に垂直な板状に形成することによって、前記遮蔽板61は前記挿入穴１ａの略全域を覆うことができるので挿入穴１ａからユーザがスタンド取付アングル４を視認することを確実に防止する。また前記左右位置決め部62を左右方向に垂直な板状に形成することによって、スタンド挿入時にスタンド80が横方向に移動したとしても、前記左右位置決め部62にスタンド80が当接して左右方向の移動が規制され、スタンド80を左右方向に確実に位置決めすることができる。
【００４６】
実施の形態３に係る表示装置の構成の内、実施の形態１又は２と同様な構成については同じ符号を付し、その詳細な説明を省略する。
【符号の説明】
【００４７】
１  リヤキャビネット
２  バックライトシャーシ
３  制御基板
４  スタンド取付アングル
５  ＦＰＣ
６  表示パネル
７  フロントキャビネット
７ａ  挿入穴
51、61  遮蔽板（遮蔽部）
52  前後位置決め板（前後位置決め部）
53、62  左右位置決め部（横位置決め部）
70  角筒部
71  遮蔽部
72  左右位置決め部（横位置決め部）
73  前後位置決め部
75  保持片（保持部）
75ａ  切欠
80  スタンド
【図１】
2010217573.tif 000003
【図２】
2010217573.tif 000004
【図３】
2010217573.tif 000005
【図４】
2010217573.tif 000006
【図５】
2010217573.tif 000007
【図６】
2010217573.tif 000008
【図７】
2010217573.tif 000009
【図８】
2010217573.tif 000010
【図９】
2010217573.tif 000011
【図１０】
2010217573.tif 000012